(57)【要約】【課題】自動車の空調機器や音響機器等の操作に用いられる多連スイッチに関し、小型化が図れ、操作体の表示が視認し易いものを提供することを目的とする。【解決手段】左右方向に配列された複数の操作体１１と１２の端部に設けた揺動支点孔１１Ａと１２Ｂを、ケース１３の中空筒部１３Ａの左右近傍に係止すると共に、中空筒部１３Ａを操作体１１と１２で覆って多連スイッチを構成することによって、左右方向の寸法を小さくして全体の小型化が図れると共に、発光素子５の光もれを防ぎ、操作体１１と１２の表示の視認が行い易い多連スイッチを得ることができる。【選択図】図１
2005302353.tif 000002
【特許請求の範囲】
【請求項１】
所定方向に配列された複数の略箱状の操作体と、この操作体を複数の中空筒部に揺動可能に装着したケースと、上記操作体の揺動によって電気的接離を行うスイッチ接点からなり、上記操作体の端部に設けた揺動支点を上記ケースの中空筒部またはその近傍に係止すると共に、上記中空筒部を上記操作体で覆った多連スイッチ。
【発明の詳細な説明】
【技術分野】
【０００１】
本発明は、主に自動車の空調機器や音響機器等の操作に用いられる多連スイッチに関するものである。
【背景技術】
【０００２】
近年、車室内のフロントパネル部に、照光式の多連スイッチや可変抵抗器を配列し、これらの押圧操作や回転操作によってエアコンやオーディオ等の電子機器をコントロールするものが増えている。
【０００３】
このような従来の多連スイッチについて、図３及び図４を用いて説明する。
【０００４】
図３は従来の多連スイッチの断面図、図４は同分解斜視図であり、同図において、１は絶縁樹脂製の操作体で、上面に文字や記号等の照光部（図示せず）が形成された複数の操作部１Ａが、弾性変形可能なアーム部１Ｂによってベース部１Ｃへ連結されると共に、二つの操作体１が対向して左右に配列されている。
【０００５】
また、２は絶縁樹脂製のカバーで、このカバー２の両側下面に操作体１のベース部１Ｃが保持されると共に、上面開口部から複数の操作部１Ａが上方へ突出している。
【０００６】
そして、３は上下面に複数の導電パターン（図示せず）が形成された配線基板で、上面には複数のプッシュスイッチ４が実装され、このプッシュスイッチ４の操作軸４Ａに、操作体１下面から下方へ突出した押圧部１Ｄが当接している。
【０００７】
さらに、この配線基板３にはコネクタ（図示せず）等の電子部品が実装されると共に、プッシュスイッチ４側方には、発光ダイオード等の発光素子５が実装されて多連スイッチが構成されている。
【０００８】
そして、このような多連スイッチは車室内のフロントパネル部に装着され、プッシュスイッチ４や発光素子５等がコネクタを介して、エアコンやオーディオ等の各種電子機器や、自動車の電子回路（図示せず）に電気的に接続される。
【０００９】
以上の構成において、操作体１の操作部１Ａを下方へ押圧操作すると、アーム部１Ｂが撓んで操作部１Ａが揺動し、押圧部１Ｄが操作軸４Ａを押圧して、プッシュスイッチ４が電気的に動作し、例えば、エアコンの温度やオーディオの音量等の切換えが行われる。
【００１０】
また、夜間等には、発光素子５が発光し、この光が操作部１Ａ上面の文字や記号等の照光部を照光することによって、周囲が暗い場合でも、操作部１Ａの表示や位置が確認し易いように構成されているものであった。
【００１１】
なお、この出願の発明に関連する先行技術文献情報としては、例えば、特許文献１が知られている。
【特許文献１】特開２００１−２８３６７３号公報
【発明の開示】
【発明が解決しようとする課題】
【００１２】
しかしながら、上記従来の多連スイッチにおいては、複数の操作部１Ａがアーム部１Ｂによってベース部１Ｃへ連結された操作体１を、左右に対向して配列しているため、横方向の寸法が大きくなると共に、複数の操作部１Ａの隙間から発光素子５の光が外へもれ、操作部１Ａ上面の表示が見づらくなるという課題があった。
【００１３】
本発明は、このような従来の課題を解決するものであり、小型化が図れ、操作体の表示が視認し易い多連スイッチを提供することを目的とする。
【課題を解決するための手段】
【００１４】
上記目的を達成するために本発明は、所定方向に配列された複数の操作体の端部に設けた揺動支点を、ケースの中空筒部またはその近傍に係止すると共に、中空筒部を操作体で覆って多連スイッチを構成したものであり、所定方向に配列された複数の操作体の寸法を小さくできるため、全体の小型化が図れると共に、揺動可能に装着された操作体でケースの中空筒部を覆うことによって、中空筒部からの発光素子の光もれを防ぎ、操作体の表示の視認が行い易い多連スイッチを得ることができるという作用を有する。
【発明の効果】
【００１５】
以上のように本発明によれば、小型化が図れ、操作体の表示が視認し易い多連スイッチを実現することができるという有利な効果が得られる。
【発明を実施するための最良の形態】
【００１６】
以下、本発明の実施の形態について、図１及び図２を用いて説明する。
【００１７】
なお、背景技術の項で説明した構成と同一構成の部分には同一符号を付して、詳細な説明を簡略化する。
【００１８】
（実施の形態）
図１は本発明の一実施の形態による多連スイッチの断面図、図２は同分解斜視図であり、同図において、１１と１２はポリカーボネート等の絶縁樹脂製で略箱状の操作体で、上面には文字や記号等の照光部（図示せず）が形成されると共に、前後方向に配列された複数の操作体１１と、同じく前後方向に配列された複数の操作体１２が左右方向に対向して配列されている。
【００１９】
そして、操作体１１の両側面下端には揺動支点孔１１Ａが、操作体１２両側面下端から延出した支持部１２Ａ先端には揺動支点孔１２Ｂが各々設けられると共に、操作体１１左側面の切欠部１１Ｂ内を操作体１２の支持部１２Ａが挿通している。
【００２０】
また、１３はＡＢＳやポリカーボネート等の絶縁樹脂製のケースで、ケース１３中間部には、上方へ突出する複数の中空筒部１３Ａが左右方向に配列されて設けられ、この中空筒部１３Ａ上面や外周を覆うようにして、複数の操作体１１と１２が中空筒部１３Ａに装着されている。
【００２１】
さらに、右側の中空筒部１３Ａの左右近傍には揺動支点軸１３Ｂと１３Ｃが設けられると共に、揺動支点軸１３Ｂには操作体１１の揺動支点孔１１Ａが、揺動支点軸１３Ｃには操作体１２の揺動支点孔１２Ｂが、各々回転可能に挿入係止されている。
【００２２】
つまり、操作体１１には弾性変形可能なアーム部等はなく、両側面下端の揺動支点孔１１Ａを支点として揺動するように形成され、操作体１２は支持部１２Ａが切欠部１１Ｂ内を挿通し、中空筒部１３Ａ左方の揺動支点軸１３Ｃを支点として揺動するように形成されているため、操作体１１と１２の左右方向の寸法は小さなものとなり、ケース１３も小型化されたものとなっている。
【００２３】
そして、１４は紙フェノールやガラス入りエポキシ等の配線基板で、この上下面には銅箔等によって複数の導電パターン（図示せず）が形成されると共に、上面には複数のプッシュスイッチ４が実装され、このプッシュスイッチ４の操作軸４Ａに、操作体１１と１２下面から下方へ突出し、ケース１３を挿通した押圧部１１Ｃと１２Ｃが当接している。
【００２４】
さらに、この配線基板１４にはコネクタ（図示せず）等の電子部品が実装されると共に、プッシュスイッチ４側方には、発光ダイオード等の発光素子５が実装され、これらを上面から操作体１１と１２が突出したケース１３が覆って、多連スイッチが構成されている。
【００２５】
そして、このような多連スイッチは車室内のフロントパネル部に装着され、プッシュスイッチ４や発光素子５等がコネクタを介して、エアコンやオーディオ等の各種電子機器や、自動車の電子回路（図示せず）に電気的に接続される。
【００２６】
以上の構成において、操作体１１や１２の上面を下方へ押圧操作すると、操作体１１は揺動支点軸１３Ｂに挿入係止された揺動支点孔１１Ａを支点として、操作体１２は揺動支点軸１３Ｃに挿入係止された揺動支点孔１２Ｂを支点として各々揺動し、押圧部１１Ｃや１２Ｃが各々操作軸４Ａを押圧して、プッシュスイッチ４が電気的に動作し、例えば、エアコンの温度やオーディオの音量等の切換えが行われる。
【００２７】
また、夜間等には、発光素子５が発光し、この光がケース１３の中空筒部１３Ａを通って、操作体１１や１２上面の照光部を下面から照光することによって、周囲が暗い場合でも、操作体１１や１２の表示や位置が確認し易いように構成されている。
【００２８】
そして、この時、ケース１３の中空筒部１３Ａ上面や外周は、装着された略箱状の操作体１１と１２に覆われているため、中空筒部１３Ａからの発光素子５の光もれがなく、操作体１１や１２上面の表示の視認を明確に行うことができる。
【００２９】
このように本実施の形態によれば、左右方向に配列された複数の操作体１１と１２の端部に設けた揺動支点孔１１Ａと１２Ｂを、ケース１３の中空筒部１３Ａの左右近傍に係止すると共に、中空筒部１３Ａを操作体１１と１２で覆って多連スイッチを構成することによって、左右方向の寸法を小さくして全体の小型化が図れると共に、発光素子５の光もれを防ぎ、操作体１１と１２の表示の視認が行い易い多連スイッチを得ることができるものである。
【００３０】
なお、以上の説明では、ケース１３の中空筒部１３Ａの左右近傍に、揺動支点軸１３Ｂと１３Ｃを形成した構成について説明したが、中空筒部１３Ａの外周壁に揺動支点軸を形成した構成としても、本発明の実施は可能である。
【００３１】
また、以上の構成とは逆に、操作体１１と１２に揺動支点としての揺動支点軸を、ケース１３に揺動支点孔を設けた構成としてもよい。
【００３２】
さらに、配線基板１４に実装されたプッシュスイッチ４を、操作体１１によって押圧操作する構成として説明したが、配線基板１４上面に固定接点を形成し、これに可動接点を対向させた構成等、様々な構成のスイッチ接点においても本発明の実施は可能である。
【産業上の利用可能性】
【００３３】
本発明による多連スイッチは、小型化が図れ、操作体の表示が視認し易いものを実現することができ、主に自動車の空調機器や音響機器等の操作用として有用である。
【図面の簡単な説明】
【００３４】
【図１】本発明の一実施の形態による多連スイッチの断面図
【図２】同分解斜視図
【図３】従来の多連スイッチの断面図
【図４】同分解斜視図
【符号の説明】
【００３５】
４  プッシュスイッチ
４Ａ  操作軸
５  発光素子
１１，１２  操作体
１１Ａ，１２Ｂ  揺動支点孔
１１Ｂ  切欠部
１１Ｃ，１２Ｃ  押圧部
１２Ａ  支持部
１３  ケース
１３Ａ  中空筒部
１３Ｂ，１３Ｃ  揺動支点軸
１４  配線基板
【図１】
2005302353.tif 000003
【図２】
2005302353.tif 000004
【図３】
2005302353.tif 000005
【図４】
2005302353.tif 000006